(57)【要約】【課題】偽造複製をより一層しにくくする。【解決手段】画像形成装置１に、用紙に予め埋め込まれた第１識別情報ＳＪ１を読み取る検出解析部１７と、画像データＧＤに第１識別情報ＳＪ１とは異なる第２識別情報ＳＪ２をバーコード、ＱＲコードまたは地紋パターンとして付加する付加部１１と、第２識別情報ＳＪ２が付加された画像データＧＤを、第１識別情報ＳＪ１が予め埋め込まれた用紙に印刷することによってチケットを作成する印刷部１０ｈと、を設ける。【選択図】図２
2009298106.tif 000002
【特許請求の範囲】
【請求項１】
用紙に予め埋め込まれた第１識別情報を読み取る読み取り手段と、
画像データに前記第１識別情報とは異なる第２識別情報を付加する付加手段と、
前記第２識別情報が付加された画像データを、前記第１識別情報が予め埋め込まれた前記用紙に印刷することによってチケットを作成する印刷手段と、
を有することを特徴とする画像形成装置。
【請求項２】
前記第１識別情報を、前記用紙に予め埋設されたＩＣチップから読み取る、
請求項１記載の画像形成装置。
【請求項３】
前記第１識別情報を、前記用紙に予め形成された地紋パターンから取得する、
請求項１記載の画像形成装置。
【請求項４】
前記第２識別情報を、バーコード、ＱＲコード、または地紋パターンとして付加する、
請求項１ないし３のいずれかに記載の画像形成装置。
【請求項５】
識別情報の照合を行うサーバに前記第１識別情報および前記第２識別情報を送信するよう通信手段を制御する通信制御手段と、
用紙搬送系における紙詰まりであるジャムを検出するジャム検出手段と、を有し、
前記通信制御手段は、前記用紙への印刷中に前記ジャム検出手段によって前記ジャムが検出された場合には、前記第１識別情報および前記第２識別情報を前記サーバに送信しないよう前記通信手段を制御する、
請求項１ないし４のいずれかに記載の画像形成装置。
【請求項６】
前記ジャムが検出された場合に、前記チケットの作成が正常に終了しなかった旨を表示する表示手段を有する、
請求項５記載の画像形成装置。
【請求項７】
前記第１識別情報および前記第２識別情報を前記サーバに送信するよう通信手段を制御する通信制御手段と、
用紙搬送系における紙詰まりであるジャムを検出するジャム検出手段と、
前記用紙への印刷中に前記ジャム検出手段によって前記ジャムが検出された場合に、再印刷を行うか否かをユーザに選択させる選択手段と、を有し、
前記通信制御手段は、前記用紙への印刷中に前記ジャム検出手段によって前記ジャムが検出された場合に、前記第１識別情報および前記第２識別情報を前記サーバに送信するよう前記通信手段を制御し、
前記選択手段によって前記再印刷を行わないことが選択された場合には、前記チケットの作成に係るジョブを破棄する、
請求項１ないし４のいずれかに記載の画像形成装置。
【請求項８】
前記選択手段によって前記再印刷を行うことが選択された場合に前記サーバに送信された前記第１識別情報および前記第２識別情報を削除する要求を当該サーバに行う、要求手段を有し、
前記選択手段によって前記再印刷を行うことが選択された場合に、
前記付加手段は、前記画像データに前記第２識別情報とは異なる更新された第２識別情報を付加し、
前記印刷手段は、前記更新された第２識別情報が付加された画像データを、前記第１識別情報とは異なる更新された第１識別情報が予め埋め込まれた用紙に印刷することによってチケットを作成し、
前記通信制御手段は、前記更新された第１識別情報および前記更新された第２識別情報を前記サーバに送信するよう前記通信手段を制御する、
請求項７記載の画像形成装置。
【請求項９】
用紙に予め埋め込まれた第１識別情報を読み取る読み取り手段と、
画像データに前記第１識別情報とは異なる第２識別情報を付加する付加手段と、
前記第２識別情報が付加された画像データを、前記第１識別情報が予め埋め込まれた前記用紙に印刷することによってチケットを作成する印刷手段と、
前記第１識別情報および前記第２識別情報の組みを記憶する識別情報記憶手段と、
前記チケットにおける前記第１識別情報および前記第２識別情報の組みを読み取るチケット読取装置と、
前記識別情報記憶手段に記憶されている前記第１識別情報および前記第２識別情報の組みと、前記チケット読取装置によって読み取られた前記第１識別情報および前記第２識別情報の組みとがそれぞれ一致するか否かを判断する照合手段と、を有し、
前記チケット読取装置は、前記照合手段によって一致すると判断された場合に前記チケットを受け付け、前記照合手段によって一致しないと判断された場合に前記チケットの受付を拒否する、
ことを特徴とするチケット管理システム。
【発明の詳細な説明】
【技術分野】
【０００１】
本発明は、ＭＦＰ等の画像形成装置およびチケット管理システムに関する。
【背景技術】
【０００２】
従来、画像形成を行う画像形成装置、例えば、複写機、プリンタ、ファクシミリのほか、複合機またはＭＦＰ（Multi Function Peripherals）と呼称される多機能機等が会社等のオフィス内で使用されている。画像形成装置の性能の向上と並行して付加機能の開発が絶え間なく続けられており、既に様々な付加機能が提案されている。
【０００３】
例えば、チケット等の偽造を防止するための画像偽造防止機能を備えたデジタル複写機が提案されている（特許文献１）。
【０００４】
特許文献１に記載のデジタル複写機によると、記録紙（コピー用紙）上にＩＤ（識別）チップを埋め込み、かつ、このＩＤチップ内の情報に対応する情報をバーコード等のパターンとして記録紙に形成することによって、オリジナル出力であるか偽造出力であるかを判別することができる。すなわち、ＩＤチップが埋め込まれかつバーコード等のパターンが形成されたオリジナル出力をＩＤコード付き記録紙にコピーしたとしても、ＩＤコードとバーコードとの対応が１対１で取れなくなるので、偽造出力であることが分かる。このように、チケットのように偽造されてしまったら困る印刷物についても、偽造され難いようにしてプリントアウトすることが可能である。
【特許文献１】特開２００４−１９８５１６号公報
【発明の開示】
【発明が解決しようとする課題】
【０００５】
しかしながら、上記従来の方法では、ＩＤチップが埋め込まれた記録紙を何らかの方法によって入手することができれば、偽造のための複製を行うことができる場合があり、偽造防止のための有効な方法とは言い難い。
【０００６】
本発明は、このような問題点に鑑み、偽造複製をより一層しにくくすることを目的とする。
【課題を解決するための手段】
【０００７】
本発明の一形態に係る画像形成装置は、用紙に予め埋め込まれた第１識別情報を読み取る読み取り手段と、画像データに前記第１識別情報とは異なる第２識別情報を付加する付加手段と、前記第２識別情報が付加された画像データを、前記第１識別情報が予め埋め込まれた前記用紙に印刷することによってチケットを作成する印刷手段と、を有する。
【０００８】
好ましくは、前記第１識別情報を、前記用紙に予め埋設されたＩＣチップから読み取る。
【０００９】
または、前記第１識別情報を、前記用紙に予め形成された地紋パターンから取得する。
【００１０】
または、前記第２識別情報を、バーコード、ＱＲコード、または地紋パターンとして付加する。
【００１１】
または、画像形成装置は、識別情報の照合を行うサーバに前記第１識別情報および前記第２識別情報を送信するよう通信手段を制御する通信制御手段と、用紙搬送系における紙詰まりであるジャムを検出するジャム検出手段と、を有し、前記通信制御手段は、前記用紙への印刷中に前記ジャム検出手段によって前記ジャムが検出された場合には、前記第１識別情報および前記第２識別情報を前記サーバに送信しないよう前記通信手段を制御する。
【００１２】
なお、チケットには、映画チケット、乗車チケット、乗船チケット、航空チケット、コンサートチケット等の各種チケット（各種有価証券）や紙幣、金券などが含まれる。
【発明の効果】
【００１３】
本発明によると、偽造複製をより一層しにくくすることが可能となる。
【発明を実施するための最良の形態】
【００１４】
図１は画像形成装置１のハードウェア構成の例を示す図、図２はチケット管理システムＴＳの全体的な構成の例を示す図、図３はチケットＴＫの例を示す図、図４は識別情報テーブルＳＪＴの例を示す図である。
【００１５】
画像形成装置１は、コピー、スキャナ、ファックス、ネットワークプリンティング、およびドキュメントサーバ等の様々な機能を集約した処理装置であり、複合機またはＭＦＰ（Multi Function Peripherals）等と呼ばれる。
【００１６】
画像形成装置１は、図１に示すように、ＣＰＵ１０ａ、ＲＡＭ１０ｂ、ＲＯＭ１０ｃ、ハードディスク１０ｄ、制御用回路１０ｅ、操作パネル１０ｆ、ＬＡＮインタフェース１０ｇ、印刷部（エンジン）１０ｈ、スキャナ１０ｉ、およびＦＡＸモデム１０ｊ等によって構成される。
【００１７】
制御用回路１０ｅは、ハードディスク１０ｄ、操作パネル１０ｆ、ＬＡＮインタフェース１０ｇ、印刷部１０ｈ、スキャナ１０ｉ、およびＦＡＸモデム１０ｊ等を制御するための回路である。
【００１８】
スキャナ１０ｉは、原稿に描かれている文章、数式、記号、写真、図表、またはイラスト等のコンテンツの画像を光学的に読み取って画像データを生成する。
【００１９】
印刷部１０ｈは、スキャナ１０ｉによって得られた画像データに基づく画像を用紙に印刷する。
【００２０】
ＬＡＮインタフェース１０ｇは、他の画像形成装置等と通信を行うためのＮＩＣ（Network Interface Card）であって、画像形成装置１とハブまたはルータとを接続するために用いられる。
【００２１】
ＦＡＸモデム１０ｊは、他の画像形成装置またはＦＡＸ端末等とファックスプロトコルによる通信を行う装置である。
【００２２】
操作パネル１０ｆは、タッチパネル式の液晶ディスプレイから構成される後述の表示部ＨＺおよびテンキー等から構成される図示しない操作部によって構成される。表示部ＨＺには、ユーザに対してメッセージまたは指示を与えるための画面、ユーザが所望する処理の種類および処理条件を入力するための画面、およびＣＰＵ１０ａ等で実行された処理の結果を示す画面等が表示される。
【００２３】
ユーザは、上記の画面を見ながら表示部ＨＺまたは操作部を操作することによって、画像形成装置１に対して、処理の実行開始または中断等の指令を与え、データの宛先、印刷条件、またはスキャン条件等の処理条件を指定し、その他種々の事項を指定することができる。つまり、操作パネル１０ｆは、画像形成装置１を操作するユーザのためのユーザインタフェースの役割を果たしている。
【００２４】
チケット管理システムＴＳは、図２に示すように、画像形成装置１、サーバ２、チケット読取装置３、および通信回線ＴＣ等によって構成される。通信回線ＴＣとして、ＬＡＮ、インターネット、公衆回線、または専用線等が用いられる。画像形成装置１、サーバ２およびチケット読取装置３は、それぞれ通信回線ＴＣを介して互いに接続されている。
【００２５】
画像形成装置１は、主な機能的構成として、付加部１１、生成部１２、管理制御部１３、および画像データ記憶部１６等を含む。上記のＣＰＵ１０ａがＲＡＭ１０ｂまたはＲＯＭ１０ｃに格納されているプログラムを実行することによって、付加部１１、生成部１２、管理制御部１３、および画像データ記憶部１６の全部またはその一部が機能的に実現されている。このようなプログラムは、当該プログラムが記録されたＣＤ−ＲＯＭ等の可搬型の記録媒体からインストールすることが可能である。また、ネットワークを介してサーバからプログラムをダウンロードすることも可能である。
【００２６】
また、付加部１１、生成部１２、管理制御部１３、および画像データ記憶部１６の全体または一部が、ＡＳＩＣ（Application Specific Integrated Circuit)などとしてＬＳＩ化され、ファームウェアまたはハードウェアによって実現されることもある。
【００２７】
ジャム検出部１４は、用紙搬送経路に設けられる複数のセンサによって構成され、用紙の検出を行うことによって用紙搬送経路における紙詰まり（以下、「ジャム」と称する）を検出する。画像データ記憶部１６は、チケットの作成に用いる画像データＧＤ等を記憶する。
【００２８】
本実施形態では、所定の識別情報が予め付加された用紙に当該識別情報とは異なる識別情報を付加してチケットを作成する。すなわち、作成されたチケットには互いに異なる２つの識別情報が付加されている。以下、このようなチケットを作成する方法および作成されたチケットを管理する方法について詳細に説明する。
【００２９】
検出解析部１７は、用紙に予め付加された第１識別情報ＳＪ１を検出する。第１識別情報ＳＪ１は各用紙ごとに異なるが、同じものがあってもよい。
【００３０】
また、第１識別情報ＳＪ１は、用紙に予め埋設されたＩＣチップに記憶しておいてもよいし、バーコード、ＱＲコード（登録商標）、または地紋パターンとして付加しておいてもよい。
【００３１】
なお、検出解析部１７には、バーコードやＱＲコード（登録商標）から第１識別情報ＳＪ１を読み取る手段、地紋パターンを検出し解析することによって第１識別情報ＳＪ１を取得する手段、およびＩＣチップから第１識別情報ＳＪ１を検知する手段が含まれる。検出解析部１７は、例えばバーコードリーダ、ＱＲコードリーダ、スキャナ、ＲＦタグリーダ、地紋解析装置、および情報処理装置等の組み合わせによって構成される。また、ＩＣチップは微小チップであるので、用紙のどの部分に埋め込まれているかについては通常知ることはできない。
【００３２】
生成部１２は、ユーザによる操作パネル１０ｆの操作によって指定された、第１識別情報ＳＪ１とは異なる第２識別情報ＳＪ２を生成する。第２識別情報ＳＪ２は、バーコード、ＱＲコード（登録商標）、または地紋パターンとして生成される。なお、第２識別情報ＳＪ２の指定の際に、検出された第１識別情報ＳＪ１が操作パネル１０ｆに表示されるので、ユーザは第１識別情報ＳＪ１とは異なる第２識別情報ＳＪ２を指定することができる。
【００３３】
付加部１１は、画像データ記憶部１６に記憶されている画像データＧＤに第２識別情報ＳＪ２を付加する。印刷部１０ｈは、第２識別情報ＳＪ２が付加された画像データＧＤを、第１識別情報ＳＪ１が予め埋め込まれた用紙に印刷することによってチケットを作成する。
【００３４】
ここで、作成されたチケットＴＫは、図３（Ａ）に示すように、第１識別情報ＳＪ１が記憶されたＩＣチップＩＴが埋設され、第２識別情報ＳＪ２がバーコードＢＣとして画像の中に付加されたものであってもよい。
【００３５】
また、作成されたチケットＴＫは、図３（Ｂ）に示すように、第１識別情報ＳＪ１が地紋パターンＺＰ１として埋め込まれ、第２識別情報ＳＪ２が地紋パターンＺＰ２として画像の中に付加されたものであってもよい。
【００３６】
管理制御部１３は、チケットＴＫの作成に用いられた第１識別情報ＳＪ１および第２識別情報ＳＪ２の組みをサーバ２に送信するよう通信部１５を制御する。
【００３７】
サーバ２は、主として、通信部２１、情報管理部２２および識別情報記憶部２３を有する。
【００３８】
情報管理部２２は、図４に示すように、通信部２１を介して受信した第１識別情報ＳＪ１および第２識別情報ＳＪ２を対にして識別情報記憶部２３の識別情報テーブルＳＪＴに記憶させる。
【００３９】
チケット読取装置３は、主として、検出解析部３１、制御部３２、通信部３３および可否決定部３４を有する。
【００４０】
このようなチケット読取装置３は、図３で示したようにチケットＴＫが乗船チケットである場合には乗船場に設置され、例えば映画チケットである場合には映画館に設置され、読み取った第１識別情報ＳＪ１および第２識別情報ＳＪ２の組みをサーバ２に問い合わせることによって、チケットＴＫの受付を行うか拒否するかを決定する。
【００４１】
検出解析部３１は、上述した検出解析部１７と同じ手段（機能）を有するものであり、チケットＴＫから第１識別情報ＳＪ１および第２識別情報ＳＪ２を取得する。
【００４２】
制御部３２は、検出解析部３１によって取得された第１識別情報ＳＪ１および第２識別情報ＳＪ２をサーバ２に送信するよう通信部３３を制御する。
【００４３】
サーバ２の情報管理部２２は、チケット読取装置３から受信した上記第１識別情報ＳＪ１および第２識別情報ＳＪ２の組みと同じ組みが識別情報記憶部２３に記憶されているか否かを判断する、すなわち照合処理を行う。そして、情報管理部２２は、識別情報の照合結果をチケット読取装置３に送信するよう通信部２１を制御する。
【００４４】
チケット読取装置３の可否決定部３４は、サーバ２から受信した照合結果に基づいてチケットＴＫの受付を行うか拒否するかを決定する。可否決定部３４によってチケットＴＫの受付が行われた場合には、チケットＴＫを所有するユーザは例えば乗船することができる。
【００４５】
ここで、チケットＴＫの作成の際にジャム検出部１４によって用紙搬送経路のジャムが検出された場合には、管理制御部１３は、第１識別情報ＳＪ１および第２識別情報ＳＪ２をサーバ２に送信しないよう通信部１５を制御する。この場合、チケットＴＫの印刷が正常に終了しなかった旨が表示部ＨＺに表示される。
【００４６】
図５は画像形成装置１における全体的な処理の流れの例を説明するフローチャート、図６は全体制御処理の流れの例を説明するフローチャート、図７および図８は操作パネル制御処理の流れの例を説明するフローチャート、図９は再印刷指定画面の例を示す図、図１０は印刷制御処理の流れの例を説明するフローチャート、図１１は受信制御処理の流れの例を説明するフローチャート、図１２はサーバ２との通信の制御処理の流れの例を説明するフローチャートである。
【００４７】
全体処理では、図５に示すように、まず、画像形成装置１の電源投入後にハードウェアの初期化、変数の初期化を行う（＃１００）。そして、タイマを設定し、所定時間ごとに本処理（メインルーチン）が実行されるようにする（＃２００）。以降、後で説明するが、全体制御処理（＃３００）、操作パネル制御処理（＃４００）、読み取り制御処理（＃５００）、印刷制御処理（＃６００）、受信制御処理（＃７００）、およびサーバ２との通信の制御処理（＃８００）が行われる。その後、タイマが終了していれば（＃９００でＹｅｓ）、＃２００〜＃９００の処理を再び繰り返す。
【００４８】
全体制御では、図６に示すように、まず、操作パネル１０ｆからのスタート要求の有無を判断し、スタート要求があれば（＃３０１でＹｅｓ）、ジョブの種類を判断する（＃３０２）。ジョブがボックス印刷（ボックスに記憶されているデータの印刷）であれば（＃３０３でＹｅｓ）、ジョブがチケットＴＫを作成するためのチケット印刷か否かを判断する（＃３０４）。ジョブがチケット印刷であれば（＃３０４でＹｅｓ）、チケット印刷要求を出力した後（＃３０５）、印刷要求を行う、つまり後述の印刷制御処理を開始するためのスタート要求を行う（＃３０６）。一方、ジョブがその他のジョブであれば（＃３０３でＮｏ）、その他のスタート処理を行う（＃３０７）。
【００４９】
操作パネル制御では、図７および図８に示すように、まず、操作パネル１０ｆのモード選択キーの操作があったか否かを判断する（＃４０１）。その操作（＃４０１でＹｅｓ）によってチケット印刷モードが選択された場合には（＃４０２でＹｅｓ）、チケット印刷モードを設定する（＃４０３）。一方、その他のモードが選択された場合には（＃４０２でＮｏ）、その他のモード設定を行う（＃４０４）。
【００５０】
これに対して、モード選択キーの操作がない場合には（＃４０１でＮｏ）、再印刷指示があるか否かを判断する（＃４０５）。再印刷指示がある場合には（＃４０５でＹｅｓ）、再印刷警告の画面を消去する（＃４０６）。一方、再印刷指示がなければ（＃４０５でＮｏ）、再印刷警告の画面を表示してから所定時間が経過したか否かを判断する（＃４０７）。
【００５１】
所定時間が経過していれば（＃４０７でＹｅｓ）、再印刷を行うべきジョブを破棄した後（＃４０８）、再印刷警告の画面を消去する（＃４０９）。一方、所定時間が経過していなければ（＃４０７でＮｏ）、ユーザの入力がパスワード入力であるか否かを判断する（図８の＃４１０）。パスワード入力である場合には（＃４１０でＹｅｓ）、数文字で入力されるパスワードを記憶しておくパスワード入力処理を行う（＃４１１）。
【００５２】
一方、パスワード入力でない場合には（＃４１０でＮｏ）、パスワード入力が完了したか否かを判断する。パスワード入力が完了した場合には（＃４１２でＹｅｓ）、ボックスに該当する文書データがあるか否かを判断する（＃４１３）。該当の文書データがある場合には（＃４１３でＹｅｓ）、当該文書データの印刷を要求するスタート要求を行う（＃４１４）。一方、該当の文書データがない場合には（＃４１３でＮｏ）、入力されたパスワードを破棄する（＃４１５）。
【００５３】
これに対して、パスワード入力が完了していなければ（＃４１２でＮｏ）、その他の入力の有無を判断する（＃４１６）。その他の入力があれば（＃４１６でＹｅｓ）、その他の入力処理を行う（＃４１７）。一方、その他の入力がなければ（＃４１６でＮｏ）、表示要求があるか否かを判断する（＃４１８）。
【００５４】
表示要求があれば（＃４１８）、その表示要求が再印刷警告の表示要求であるか否かを判断する（＃４１９）。表示要求が再印刷警告の表示要求であれば（＃４１９でＹｅｓ）、図９に示すような再印刷警告の画面を表示することによって（＃４２０）、ユーザに再印刷（ジャム補正）を行うか否かについての判断を促す。一方、再印刷警告の表示要求でなければ（＃４１９でＮｏ）、その他の表示処理を行う（＃４２１）。
【００５５】
印刷制御では、図１０に示すように、まず、上述の全体制御処理からのスタート要求があれば（＃６０１でＹｅｓ）、指定された文書データを読み出す（＃６０２）。そして、チケット印刷モードが設定されている場合には（＃６０３でＹｅｓ）、チケット印刷用の用紙を選択した後（＃６０４）、ユーザによって指定された第２識別情報ＳＪ２を付加して（＃６０５）、印刷する（＃６０６）。一方、チケット印刷モードが設定されていない場合には（＃６０３でＮｏ）、その他の用紙を選択して（＃６０７）、印刷する（＃６０６）。
【００５６】
これに対して、スタート要求がなければ（＃６０１でＮｏ）、印刷部１０ｈからチケットＴＫに付加した第１識別情報ＳＪ１および第２識別情報ＳＪ２を受信しているか否かを判断する（＃６０８）。第１識別情報ＳＪ１および第２識別情報ＳＪ２を受信していれば（＃６０８でＹｅｓ）、これらを記憶しておく（＃６０９）。
【００５７】
一方、第１識別情報ＳＪ１および第２識別情報ＳＪ２を受信していなければ（＃６０８でＮｏ）、印刷が完了したか否かを判断する（＃６１０）。印刷が完了していれば（＃６１０でＹｅｓ）、第１識別情報ＳＪ１および第２識別情報ＳＪ２のサーバ２への送信を要求しておく（＃６１１）。
【００５８】
これに対して、印刷が完了していなければ（＃６１０でＮｏ）、用紙搬送経路におけるジャム発生の有無をチェックする（＃６１２）。ジャムが発生した場合には（＃６１２でＹｅｓ）、印刷処理を停止する（＃６１３）。一方、ジャムが発生していなければ（＃６１２でＮｏ）、ジャムが解消したことを条件に（＃６１４でＹｅｓ）、印刷処理を再開する（＃６１５）。
【００５９】
受信制御では、図１１に示すように、まず、受信データがあれば（＃７０１でＹｅｓ）、受信データを解析することによってパスワードの有無を判断する（＃７０２）。パスワードが存在していれば（＃７０２でＹｅｓ）、当該パスワードを、ボックスに保存する文書データを管理するための情報として設定する（＃７０４）。それにより、ボックスに保存された文書データを読み出さなくても、パスワードの照合処理が可能となる。その後、受信データをボックスに保存する（＃７０３）。
【００６０】
通信制御では、図１２に示すように、まず、第１識別情報ＳＪ１および第２識別情報ＳＪ２の送信要求の有無が判断される（＃８０１）。送信要求があれば（＃８０１でＹｅｓ）、第１識別情報ＳＪ１および第２識別情報ＳＪ２をサーバ２に送信する（＃８０２）。一方、送信要求がなければ（＃８０１でＮｏ）、第１識別情報ＳＪ１および第２識別情報ＳＪ２の削除要求の有無を判断する（＃８０３）。削除要求があれば（＃８０３でＹｅｓ）、管理制御部１３は第１識別情報ＳＪ１および第２識別情報ＳＪ２を指定してサーバ２に削除要求を送信する（＃８０４）。
【００６１】
図１３はサーバ２で実行される識別情報の管理処理の流れの例を説明するフローチャートである。
【００６２】
サーバ２は一般に用いられるパーソナルコンピュータまたはＥＷＳ（エンジニアリングワークステーション）等のよく知られたコンピュータであり、そのアプリケーションとして識別情報の管理処理を行うための機能が動作する。
【００６３】
図１３に示すように、まず、受信データの有無を判断する（＃１０００）。受信データがあれば（＃１０００でＹｅｓ）、画像形成装置１から送信されてきた要求が登録要求であるか否かを判断する（＃１００１）。登録要求であれば（＃１００１でＹｅｓ）、第１識別情報ＳＪ１および第２識別情報ＳＪ２を対にして記憶しておく（＃１００２）。なお、第１識別情報ＳＪ１および第２識別情報ＳＪ２を新しく登録する場合には、これらは識別情報テーブルＳＪＴ（図４）の末尾に追加される。
【００６４】
一方、登録要求でなければ（＃１００１でＮｏ）、削除要求であるか否かを判断する（＃１００３）。削除要求であれば（＃１００３でＹｅｓ）、第１識別情報ＳＪ１および第２識別情報ＳＪ２を識別情報テーブルＳＪＴから削除する（＃１００４）。つまり、削除要求の対象である第１識別情報ＳＪ１および第２識別情報ＳＪ２の組み合わせと一致するものがあるか否かを識別情報テーブルＳＪＴにおいて検索し、一致したものがあれば削除する。
【００６５】
一方、削除要求でなければ（＃１００３でＮｏ）、照合要求であるか否かを判断する（＃１００５）。照合要求でなければ（＃１００５でＮｏ）、その他の受信処理を行い（＃１００６）、受信データの有無を再び判断する（＃１０００）。
【００６６】
これに対して、照合要求であれば（＃１００５でＹｅｓ）、受信した第１識別情報ＳＪ１および第２識別情報ＳＪ２と一致する識別情報が識別情報テーブルＳＪＴに存在するか否かを判断するための照合処理を行う（＃１００７）。一致するものがあれば（＃１００８でＹｅｓ）、第１識別情報ＳＪ１および第２識別情報ＳＪ２が正当なものであること、つまり、チケットＴＫが正当なものであることを送信する（＃１００９）。一方、一致するものがなければ（＃１００８でＮｏ）、第１識別情報ＳＪ１および第２識別情報ＳＪ２が不正なものであること、つまり、チケットＴＫが不正なものであることを送信する（＃１０１０）。
【００６７】
図１４はチケット読取装置３における全体的な処理の流れの例を説明するフローチャート、図１５は読み取り制御処理の流れの例を説明するフローチャート、図１６は送信制御処理の流れの例を説明するフローチャート、図１７は受信制御処理の流れの例を説明するフローチャート、図１８はチケット受付制御処理の流れの例を説明するフローチャートである。
【００６８】
全体処理では、図１４に示すように、まず、画像形成装置１の電源投入後にハードウェアの初期化、変数の初期化を行う（＃１１００）。そして、タイマを設定し、所定時間ごとに本処理（メインルーチン）が実行されるようにする（＃１２００）。以降、後で説明するが、読み取り制御処理（＃１３００）、送信制御処理（＃１４００）、受信制御処理（＃１５００）、およびチケット受付制御処理（＃１６００）が行われる。その後、タイマが終了していれば（＃１７００でＹｅｓ）、＃１２００〜＃１６００の処理を再び繰り返す。
【００６９】
読み取り制御では、図１５に示すように、チケットＴＫの有無を判断し、チケットＴＫがあれば（＃１３０１でＹｅｓ）、チケットＴＫの用紙に含まれる第１識別情報ＳＪ１を読み取って記憶し（＃１３０２）、チケットＴＫの画像に含まれる第２識別情報ＳＪ２を読み取って記憶し（＃１３０３）、またその他の情報を読み取って記憶しておく（＃１３０４）。次いで、第１識別情報ＳＪ１および第２識別情報ＳＪ２の照合要求の送信を要求しておく（＃１３０５）。
【００７０】
送信制御処理では、図１６に示すように、上記の送信要求があれば（＃１４０１でＹｅｓ）、サーバ２に照合をさせるために第１識別情報ＳＪ１および第２識別情報ＳＪ２を対にして送信する（＃１４０２）。
【００７１】
受信制御処理では、図１７に示すように、受信データ（サーバ２からの照合結果通知）の有無を判断し、受信データがあれば（＃１５０１でＹｅｓ）、照合結果が正当であったか否かを判断する（＃１５０２）。正当であれば（＃１５０２でＹｅｓ）、チケットＴＫが正当なものであることを設定しておく（＃１５０３）。一方、チケットＴＫが不正なものであれば（＃１５０２でＮｏ）、チケットＴＫが不正なものであることを設定しておく（＃１５０４）。
【００７２】
チケット受付制御処理では、図１８に示すように、まず、チケットＴＫが正当であったか否かの設定が完了しているか否かを判断する（＃１６０１）。設定が完了していれば（＃１６０１でＹｅｓ）、チケットＴＫが正当なものであるか否かを判断する（＃１６０２）。チケットＴＫが正当なものであれば（＃１６０２でＹｅｓ）、チケットＴＫの受付処理および＃１３０４で読み取ったその他の情報からその他の受付処理を行う（＃１６０３）。一方、チケットＴＫが不正なものであれば（＃１６０２でＮｏ）、チケットＴＫの受付を拒否する（＃１６０４）。
【００７３】
[本実施形態における効果]
本実施形態では、第１識別情報ＳＪ１が付加された用紙に、当該第１識別情報ＳＪ１と異なる第２識別情報ＳＪ２を付加してチケットＴＫを作成（発行）することによって、第１識別情報ＳＪ１が付加された用紙が不正な方法で入手されても、チケットＴＫを不正に発行することを防止することができる。すなわち、本実施形態では、第１識別情報ＳＪ１および第２識別情報ＳＪ２を、組みにして（対にして）管理しているので、チケットＴＫの不正な発行を行うことが著しく難しい。つまり、第１識別情報ＳＪ１および第２識別情報ＳＪ２の組みが照合されたときにはじめてチケットＴＫの発行が許可される。
【００７４】
したがって、本実施形態に係るチケット管理システムＴＳおよび画像形成装置１によると、偽造複製をより一層しにくくすることが可能となる。
【００７５】
[他の実施形態]
上記実施形態（図１０）では、印刷処理が正常に完了（成功）した場合にのみ第１識別情報ＳＪ１および第２識別情報ＳＪ２をサーバ２に送信したが、他の実施形態として、印刷処理が正常に完了した場合だけでなく、ジャムの発生により印刷処理が完了（成功）しなくても、第１識別情報ＳＪ１および第２識別情報ＳＪ２をサーバ２に送信してもよい。以下、フローチャートを用いて説明する。
【００７６】
図１９は印刷制御処理の流れの他の例を説明するフローチャートである。なお、図１９においても上で述べた図１０の＃６０１〜＃６１２の処理は同様に行われるのでこの部分についての説明は省略し、＃６１２の処理より異なる部分についてのみ説明を行う。
【００７７】
図１９に示すように、ジャム発生の有無をチェックする（＃６１２）。ジャムが発生した場合には（＃６１２でＹｅｓ）、印刷処理を停止し（＃６２１）、さらに第１識別情報ＳＪ１および第２識別情報ＳＪ２の送信を要求しておく（＃６２２）。
【００７８】
一方、ジャムが発生していなければ（＃６１２でＮｏ）、ジャムが解消（ジャム補正、つまり再印刷）されたか否かを確認する（＃６２３）。ジャムが解消されると（＃６２３でＹｅｓ）、第１識別情報ＳＪ１および第２識別情報ＳＪ２の削除を要求しておき（＃６２４）、印刷処理を再開する（＃６２５）。これに対して、ジャムが解消されない場合（再印刷をしない場合）には（＃６２３でＮｏ）、ジョブ破棄の要求がある場合に（＃６２６でＹｅｓ）、印刷処理を破棄する（＃６２７）。
【００７９】
つまり、再印刷を行う場合には第１識別情報ＳＪ１および第２識別情報ＳＪ２は更新される。この場合、サーバ２に送信された第１識別情報ＳＪ１および第２識別情報ＳＪ２の組みを削除する要求をサーバ２に行う。すると、付加部１１は更新された第２識別情報ＳＪ２を画像データＧＤに付加する。
【００８０】
そして、印刷部１０ｈは、更新された第２識別情報ＳＪ２が付加された画像データＧＤを、更新された第１識別情報ＳＪ１が予め埋め込まれた用紙に印刷することによってチケットＴＫを作成する。また、管理制御部１３は、更新された第１識別情報ＳＪ１および更新された第２識別情報ＳＪ２の組みをサーバ２に送信する。
【００８１】
このような方法によって、ジャムが発生したがチケットＴＫが惰性で排出されてしまったときにも当該チケットＴＫを使用可能にすることができる。但し、再印刷が指示された場合には、前回（ジャム発生時）の第１識別情報ＳＪ１および第２識別情報ＳＪ２をサーバ２から削除し、ジャム発生時のチケットＴＫを使用不可とする。これにより、更新された第１識別情報ＳＪ１および第２識別情報ＳＪ２を有する再印刷されたチケットＴＫのみを使用可能とすることができ、重複使用を防止できる。
【００８２】
また、サーバ２の機能とチケット読取装置３の機能とを画像形成装置１に設け、画像形成装置１のみによってチケット管理システムＴＳを構成してもよいし、サーバ２の機能を画像形成装置１に設け、当該画像形成装置１およびチケット読取装置３によってチケット管理システムＴＳを構成してもよいし、チケット読取装置３の機能を画像形成装置１に設け、当該画像形成装置１およびサーバ２によってチケット管理システムＴＳを構成してもよいし、サーバ２とチケット読取装置３とを一体的に構成し、これと画像形成装置１とによってチケット管理システムＴＳを構成してもよい。さらに、各装置の一部の構成部を他の装置に設けるようにしてもよい。
【００８３】
また、チケットには、映画チケット、乗車チケット、乗船チケット、航空チケット、コンサートチケット等の各種チケット（各種有価証券）や紙幣、金券などが含まれる。
【００８４】
その他、画像形成装置１およびチケット管理システムＴＳの全体または各部の構成、処理内容、処理順序等は、本発明の趣旨に沿って適宜変更することが可能であり、この場合にも上記の特有かつ格別の効果が奏される。
【図面の簡単な説明】
【００８５】
【図１】画像形成装置のハードウェア構成の例を示す図である。
【図２】チケット管理システムの全体的な構成の例を示す図である。
【図３】チケットの例を示す図である。
【図４】識別情報テーブルの例を示す図である。
【図５】画像形成装置における全体的な処理の流れの例を説明するフローチャートである。
【図６】全体制御処理の流れの例を説明するフローチャートである。
【図７】操作パネル制御処理の流れの例を説明するフローチャートである。
【図８】操作パネル制御処理の流れの例を説明するフローチャートである。
【図９】再印刷指定画面の例を示す図である。
【図１０】印刷制御処理の流れの例を説明するフローチャートである。
【図１１】受信制御処理の流れの例を説明するフローチャートである。
【図１２】サーバとの通信の制御処理の流れの例を説明するフローチャートである。
【図１３】サーバで実行される識別情報の管理処理の流れの例を説明するフローチャートである。
【図１４】チケット読取装置における全体的な処理の流れの例を説明するフローチャートである。
【図１５】読み取り制御処理の流れの例を説明するフローチャートである。
【図１６】送信制御処理の流れの例を説明するフローチャートである。
【図１７】受信制御処理の流れの例を説明するフローチャートである。
【図１８】チケット受付制御処理の流れの例を説明するフローチャートである。
【図１９】印刷制御処理の流れの他の例を説明するフローチャートである。
【符号の説明】
【００８６】
１  画像形成装置
２  サーバ
３  チケット読取装置
１０ｆ  操作パネル（選択手段）
１０ｈ  印刷部（印刷手段）
１１  付加部（付加手段）
１３  管理制御部（通信制御手段、要求手段）
１４  ジャム検出部（ジャム検出手段）
１５  通信部（通信手段）
１７  検出解析部（読み取り手段）
２２  情報管理部（照合手段）
２３  識別情報記憶部（識別情報記憶手段）
ＨＺ  表示部（表示手段）
ＳＪ１  第１識別情報
ＳＪ２  第２識別情報
ＴＳ  チケット管理システム
【図１】
2009298106.tif 000003
【図２】
2009298106.tif 000004
【図３】
2009298106.tif 000005
【図４】
2009298106.tif 000006
【図５】
2009298106.tif 000007
【図６】
2009298106.tif 000008
【図７】
2009298106.tif 000009
【図８】
2009298106.tif 000010
【図９】
2009298106.tif 000011
【図１０】
2009298106.tif 000012
【図１１】
2009298106.tif 000013
【図１２】
2009298106.tif 000014
【図１３】
2009298106.tif 000015
【図１４】
2009298106.tif 000016
【図１５】
2009298106.tif 000017
【図１６】
2009298106.tif 000018
【図１７】
2009298106.tif 000019
【図１８】
2009298106.tif 000020
【図１９】
2009298106.tif 000021